(57)【要約】      （修正有）【課題】ゴルフをプレイしながら副次的にビンゴゲームを楽しむことができるゴルフビンゴカードを提供する。【解決手段】本ゴルフビンゴカード１００は、縦横同数の複数のマトリクス状に分割された区画１１−４４を備え、各区画に、ゴルフのプレイに関する達成項目を表示するとともに、この達成項目を達成したことを表示可能なミシン線（表示部）１１Ｍ−４４Ｍを設けたことを特徴としている。この達成項目は、各ホールのストローク数を示す数字、ゴルフの珍プレイを示す文字、及びゴルフの好プレイを示す文字の全部又は一部を含む。【選択図】図１
0003160794.tif 000002
【実用新案登録請求の範囲】
【請求項１】
縦横同数の複数のマトリクス状に分割された区画を備え、各区画に、ゴルフのプレイに関する達成項目を表示するとともに、この達成項目を達成したことを表示可能な表示部を設けたことを特徴とするゴルフビンゴカード。
【請求項２】
請求項１記載のゴルフビンゴカードにおいて、上記各区画には、該区画に記載された達成項目を達成したホール番号を記載する欄が備えられているゴルフビンゴカード。
【請求項３】
請求項１または２記載のゴルフビンゴカードにおいて、上記達成項目は、各ホールのストローク数を示す数字、ゴルフの珍プレイを示す文字、及びゴルフの好プレイを示す文字の全部又は一部を含むゴルフビンゴカード。
【請求項４】
請求項３記載のゴルフビンゴゲームにおいて、上記珍プレイを示す文字中には、「池ポチャ」、「ＯＢ」、「３パット」、「バンカー」、及び「キンコンカン」の少なくとも１つが含まれるゴルフビンゴカード。
【請求項５】
請求項３記載のゴルフビンゴゲームにおいて、上記好プレイを示す文字中には、「バーディー」、「１オン」、「１パット」、「砂一」、及び「竿一」の少なくとも１つが含まれるゴルフビンゴゲームカード。
【請求項６】
請求項１ないし５のいずれか１項記載のゴルフビンゴゲームにおいて、上記表示部は、上記各区画に設けられた閉じられた形状のミシン線であり、このミシン線を打ち抜くことにより対応する区画がマーキングされるゴルフビンゴカード。
【考案の詳細な説明】
【技術分野】
【０００１】
本考案は、ゴルフプレイに用いるゴルフビンゴカードに関する。
【背景技術】
【０００２】
ゴルフをプレイする際には、ハンディキャップ以外に、プレイヤーの腕前にかかわらずゴルフのプレイを楽しむためのひと工夫（スパイス）が施されることがある。例えば、通称オリンピックは、プレイヤーの全員がグリーンオンした時点からゲームが始まり、オンしたボールがカップから遠い順に金、銀、銅、鉄とし、そのボールが一打でカップインしたらそれぞれの「メダル」を獲得したものとしてポイント（金は４ポイント、銀は３ポイント、銅は２ポイント、鉄は１ポイント）を加算して楽しむものである。このようなスコアとは別の副次的ゲームは、ゴルフプレイに別の楽しみ方を与え、例えば、初級者から上級者まで幅広い腕前のプレイヤーが集結するゴルフコンペを盛り上げる。
【考案の概要】
【考案が解決しようとする課題】
【０００３】
しかし、この副次的ゲームは、普通スコアカードに付加的に任意に記載され、ゲーム終了後に集計されるだけであり、楽しみ方に膨らみがない。また、１組のプレイヤーの間だけでしか楽しむことができず、コンペの副次的ゲームにはならない。
【０００４】
本考案は、ゴルフに、より多様な副次的な楽しみ方を与えることができるゴルフビンゴカードを得ることを目的とする。
【課題を解決するための手段】
【０００５】
本考案は、ビンゴカードの各区画にゴルフのプレイに関する達成項目を表示して、表示されたいずれかの達成項目を達成したときに該当する区画をマーキングしていけば、ゴルフをプレイしながらビンゴゲームを楽しむことができ、ゴルフに、より多用な副次的な楽しみ方を与えることができるとの着眼に基づいてなされたものである。
【０００６】
すなわち、本考案のゴルフビンゴカードは、縦横同数の複数のマトリクス状に分割された区画を備え、各区画に、ゴルフのプレイに関する達成項目を表示するとともに、この達成項目を達成したことを表示可能な表示部を設けたことを特徴としている。
【０００７】
各区画には、該区画に記載された達成項目を達成したホール番号を記載する欄をさらに設けることが好ましい。
【０００８】
達成項目は、具体的には、例えば各ホールのストローク数を示す数字、ゴルフの珍プレイを示す文字、及びゴルフの好プレイを示す文字の全部又は一部とすることができる。
【０００９】
珍プレイを示す文字中には、「池ポチャ」、「ＯＢ」、「３パット」、「バンカー」、及び「キンコンカン」の少なくとも１つを含ませるのがよい。
【００１０】
好プレイを示す文字中には、「バーディー」、「１オン」、「１パット」、「砂一」、及び「竿一」の少なくとも１つを含ませるのがよい。
【００１１】
表示部を、各区画に設けられた閉じられた形状のミシン線とすれば、このミシン線を打ち抜くことにより対応する区画をマーキングすることができる。
【考案の効果】
【００１２】
本考案によれば、ゴルフに、より多様な副次的な楽しみ方を与えることができるゴルフビンゴカードが得られる。
【図面の簡単な説明】
【００１３】
【図１】本考案の実施形態１に係るゴルフビンゴカードを示す平面図である。
【図２】図１のゴルフビンゴカードの変形例を示す図である。
【図３】本考案の実施形態２に係るゴルフビンゴカードを示す平面図である。
【図４】珍プレイ版のゴルフビンゴカードに添付する説明書を示す図である。
【図５】本考案の実施形態３に係るゴルフビンゴカードを示す平面図である。
【図６】好プレイ版のゴルフビンゴカードに添付する説明書を示す図である。
【考案を実施するための形態】
【００１４】
（実施形態１）
図１に示すように、本考案によるゴルフビンゴカード１００は、例えば縦１２５ｃｍ×横８０ｃｍ程度の紙葉体からなり、一般的なゴルフ場のスコアカード（縦１２８ｃｍ×横８５ｃｍ）と一緒にスコアカードホルダーに収めて持ち運ぶことができる。図１（Ａ）−（Ｄ）では４枚のゴルフビンゴカード１００だけを例示しているが、実際のゴルフビンゴカード１００は、例えば５０枚、１００枚、２００枚等でまとめて販売される。
【００１５】
ゴルフビンゴカード１００の表面の中央部には、縦横４×４の合計１６つのマトリクス状に分割された区画１１−４４が設けられている。これら各区画１１−４４の中央下部には、ゴルフのプレイに関する達成項目として、各ホールのストローク数を示す数字、及びグリーンオンしてから一打でカップインしたことを示す「１パット」の文字がランダムに表示されている。また各区画１１−４４には、そのストローク数又は１パットを達成したホール番号を記載する欄が設けられている。よって本実施形態１のゴルフビンゴカード１００は、「ストローク版」のゴルフビンゴカードと呼ぶことができる。また各区画１１−４４の中央上部には、例えば縦０．５ｃｍ×横１．５ｃｍの細長い四角状の閉じられたミシン線（表示部）１１Ｍ−４４Ｍが設けられており、ゴルフ場でよく使用される横長のペグシルを押し付けることでミシン線１１Ｍ−４４Ｍの内側を打ち抜くことができる。ミシン線１１Ｍ−４４Ｍを打ち抜くことにより、対応する区画１１−４４がマーキングされたことになる。
【００１６】
ゴルフビンゴカード１００の表面の上部には、「ＧＯＬＦ  ＢＩＮＧＯ  ＣＡＲＤ」の文字１０１、「達成ホールＮＯ．」の文字１０２、「同伴者アテスト」の文字１０３、及び「ストローク版」の文字１０４が表示されている。ゴルフビンゴカード１００の表面の下部には、ゴルフメーカーやゴルフ場などの宣伝広告を示す文字１０５が表示されている。これらの文字１０１−１０５は、ゴルフビンゴカード１００の裏面（図示せず）に表示してもよい。
【００１７】
以上の構成のゴルフビンゴカード１００は次のようにして使用する。ゴルフのプレイを開始する前にあらかじめプレイヤーに１枚ずつゴルフビンゴカード１００を配布し、プレイヤーは配布されたゴルフビンゴカード１００をスコアカードと一緒にスコアカードホルダーに収めておく。ゴルフのプレイが開始されると、プレイヤーは各ホールが終わるごとにそのホールのストローク数をスコアカードに順次記入していく。同時に、プレイヤーはゴルフビンゴカード１００を取り出して、区画１１−４４のうち、そのホールのストローク数に該当する数字が表示された区画を一つ選択して、ミシン線１１Ｍ−４４Ｍの内側を打ち抜いてマーキングしていく。例えば、図１（Ａ）のゴルフビンゴカード１００を持っているプレイヤーのストローク数が「５」であったときは、区画１４または２２を選択してマーキングする（複数の同一ストローク区画のどれを選択するかはプレイヤーに任される）。このときグリーンオンしてから一打でカップインしていれば、「１パット」の文字が表示された区画２３も同時にマーキングすることができる。マーキングした区画には、そのストローク数又は１パットを達成したホール番号を記載する。プレイヤーは各ホールが終わるごとに、同伴競技者から「同伴者アテスト」の文字１０３の隣にアテストを受ける。
【００１８】
ラウンドが進んでいき、マーキングした区画が縦一列（例えば区画１１−４１）、横一列（例えば１１−１４）又は斜め一列（例えば区画１１−４４）に揃うとビンゴが成立する。プレイヤーはビンゴが成立したホールの番号を「達成ホールＮＯ．」の文字１０２の隣に記入するとともに、同伴競技者から「同伴者アテスト」の文字１０３の隣にアテストを受ける。このようにすることで、ビンゴが成立したホールの正確性が担保される。また、大人数のゴルフコンペであってもビンゴが成立したホールが早い順に商品を出すといった楽しみ方が可能になる。
【００１９】
なお、極端に腕前に差のあるプレイヤー同士が楽しむ場合は事前にハンディとして幾つかの区画にマーキングしておくという使用方法もある。
【００２０】
図２（Ａ）は、縦横５×５の合計２５つのマトリクス状に分割された区画１１−５５を設け、ゴルフメーカーやゴルフ場などの宣伝広告を示す文字１０５を省略したゴルフビンゴカード１００’を示している。図２（Ｂ）は、図２（Ａ）の区画３３を、ゴルフのプレイを開始する前にあらかじめマーキングできるフリーゾーン（Ｆｒｅｅ  Ｚｏｎｅ）としている。このように、縦横同数の複数のマトリクス状に分割された区画であればその数には自由度がある。但し、ゴルフのプレイは通常１８ホールで行われるため、そのホール数に近い縦横４×４の合計１６つ又は縦横５×５の合計２５つとすることが実際的である。
【００２１】
（実施形態２）
本実施形態２のゴルフビンゴカード２００は「珍プレイ版」であり、実施形態２の「ストローク版」の文字１０４に代えて「珍プレイ版」の文字２０４が表示されている。ゴルフメーカーやゴルフ場などの宣伝広告を示す文字１０５は省略している。
【００２２】
図３に示すように、ゴルフビンゴカード２００の各区画１１−４４の中央下部には、ゴルフのプレイに関する達成項目として、ゴルフの珍プレイ（ペナルティー的なものが中心）を示す文字が表示されている。区画１１の「池ポチャ」や区画１２の「ＯＢ」などのようにゴルフ用語として標準的なものについては説明をするまでもないが、区画２２の「スカ短」や区画３３の「キンコンカン」などは、初心者や地方によっては知らない又は定義が違う可能性がある。そこで珍プレイ版のゴルフビンゴカード２００には、図４に示すようなゴルフの珍プレイの用語の意義を示す説明書２１０を添付して販売することが好ましい。この説明書２１０を見れば、「スカ短」なる珍プレイが「ティショットがレディースティまで届かない」という意味であること、「キンコンカン」なる珍プレイが「ボールが木に当たる」という意味であることを理解することができる。
【００２３】
ゴルフビンゴカード２００はゴルフビンゴカード１００と同様に使用することができるが、ストローク版のビンゴカード１００は原則として１ホールで１つの区画しかマーキングできないのに対し、珍プレイ版のビンゴカード２００はプレイヤーが珍プレイを連発すればたった１ホールでビンゴが成立し得るという面白さがある。また、珍プレイ版のゴルフビンゴカード２００はプレイヤー自身がマーキングすると面白さが半減するので、ゴルフのプレイを開始する前にマーカーを決めておき、同伴者のプレイをマーキングすることで面白さを増すという使用方法もある。
【００２４】
（実施形態３）
本実施形態３のゴルフビンゴカード３００は「好プレイ版」であり、実施形態２の「珍プレイ版」の文字２０４に代えて「好プレイ版」の文字３０４が表示されている。
【００２５】
図５に示すように、ゴルフビンゴカード３００の各区画１１−４４の中央下部には、ゴルフのプレイに関する達成項目として、ゴルフの好プレイ（ナイスプレイ的なものが中心）を示す文字が表示されている。区画４１の「ロング３オン」や区画４４の「バーディー」などのようにゴルフ用語として標準的なものについては説明をするまでもないが、区画２３の「砂一」や区画２４の「竿一」などは、初心者や地方によっては知らない又は定義が違う可能性がある。そこで好プレイ版のゴルフビンゴカード３００には、図６に示すようなゴルフの好プレイの用語の意義を示す説明書３１０を添付して販売することが好ましい。この説明書３１０を見れば、「砂一」なる好プレイが「バンカーから２打でホールアウトする」という意味であること、「竿一」なる好プレイが「１ピン以上のパットを１パットで沈める」という意味であることを理解することができる。
【００２６】
ゴルフビンゴカード３００はゴルフビンゴカード１００と同様に使用することができるが、ストローク版のビンゴカード１００は原則として１ホールで１つの区画しかマーキングできないのに対し、好プレイ版のゴルフビンゴカード３００はプレイヤーが好プレイを連発すればたった１ホールでビンゴが成立し得るという面白さがある。
【００２７】
以上のように、本考案のゴルフビンゴカード１００−３００は、縦横同数の複数のマトリクス状に分割された区画１１−４４を備え、各区画に、ゴルフのプレイに関する達成項目を表示するとともに、この達成項目を達成したことを表示可能なミシン線１１Ｍ−４４Ｍ（表示部）を設けたので、各区画に表示されたいずれかの達成項目を達成したときに該当する区画をマーキングしていけば、ゴルフをプレイしながらビンゴゲームを楽しむことができ、ゴルフに、より多用な副次的な楽しみ方を与えることができる。
【００２８】
ストローク版のゴルフビンゴカード１００、珍プレイ版のゴルフビンゴカード２００、及び好プレイ版のゴルフビンゴカード３００は混ぜて使用してもよい。この場合、ゴルフビンゴカードの種類を識別できるようにカードの色を変えることが好ましい。
【００２９】
また、１枚のゴルフビンゴカードの各区画に、達成項目として、各ホールのストローク数を示す数字、ゴルフの珍プレイを示す文字、及びゴルフの好プレイを示す文字を混在させて表示してもよい。
【００３０】
以上の実施形態では、ミシン線の内側領域を打ち抜くことで各区画をマーキングしているが、マーキングの仕方（表示部の構成）はこれに限定されない。例えば、ミシン線をＵ字状又はコの字状として指でミシン線の内側を引き起こしてマーキングすれば、打ち抜いた部分がゴミとなることがない。あるいは、ミシン線を設けることなくペグシルでチェックするだけでマーキングすることも勿論可能である。
【符号の説明】
【００３１】
１００  １００’  ストローク版のゴルフビンゴカード
２００  珍プレイ版のゴルフビンゴカード
３００  好プレイ版のゴルフビンゴカード
１１−５５  区画
１１Ｍ−５５Ｍ  ミシン線（表示部）
【図１】
0003160794.tif 000003
【図２】
0003160794.tif 000004
【図３】
0003160794.tif 000005
【図４】
0003160794.tif 000006
【図５】
0003160794.tif 000007
【図６】
0003160794.tif 000008